(57)【特許請求の範囲】
【請求項１】
平面で操作するマウス装置であって、
底部に少なくとも一つの係合溝と複数の凹溝を設けた本体と、
前記本体に設けられ、マウスの既定機能を実行するための回路機構と、
第一カバー及び第二カバーと、を具備し、
前記両カバーの第一側面はそれぞれ少なくとも一つのフックを備え、前記両カバーの第二側面はそれぞれ複数の脚部を備え、前記複数の脚部によって前記平面に接触し、且つ前記第一カバーにおける前記複数の脚部の材質は前記第二カバーにおける前記複数の脚部の材質とは異なり、
前記両カバーの一つは選択可能且つ脱着可能に前記本体の前記底部に装着され、一つは前記フックで前記本体の前記係合溝に係合され、また、前記第一カバーにおける前記脚部は前記第一カバーの前記第一側面に突設され、前記第一カバーが前記本体の前記底部に装着される場合、前記第一側面に突設されている前記これらの脚部は前記これらの凹溝に容置されることを特徴とする、マウス装置。
【請求項２】
前記回路機構は、回路基板と、発光ユニットと光センサーとを含み、前記発光ユニットと前記光センサーとは電気的に前記回路基板に取付け、前記両カバーにはそれぞれ前記発光ユニット及び前記光センサーと対応する開口を有し、前記発光ユニットは光線を放射して前記第一カバーまたは第二カバーにおける前記開口を通して前記平面に投射し、前記光センサーは前記第一カバーまたは前記第二カバーを通して前記平面からの反射光を受信することを特徴とする、請求項１に記載のマウス装置。
【請求項３】
前記本体は上ケースと下ケースとを有し、前記上ケースと前記下ケースとは互いに組み立てられ、内部に前記回路機構を容置する容置部が形成され、前記係合溝と前記複数の凹溝は前記下ケースの前記底部に設置することを特徴とする、請求項１に記載のマウス装置。
【請求項４】
更に、前記本体の前記底部は、前記本体の前端に設けられるガイド溝を備え、前記両カバーはそれぞれ前記ガイド溝と対応する固定部を有し、前記両カバーを選択的に一つの前記底部に装着した場合、前記固定部が前記ガイド溝へ滑り込むことを特徴とする、請求項１に記載のマウス装置。
【請求項５】
前記本体の前記底部はそれぞれ前記本体の相対する両端と左右両側とに設置された複数の係合溝を備え、前記両カバーはそれぞれ前記複数の係合溝に対応した複数のフックを備え、前記両カバーのうち選択的に一つを前記底部に装着した場合、前記各フックは前記各係合溝に係合されることを特徴とする、請求項１に記載のマウス装置。
【請求項６】
更に、前記本体の前記底部はスライド溝を有し、前記両カバーを選択的に一つ前記本体の前記底部に装着し、前記カバーの外縁を前記スライド溝と対応して滑り込ませて前記各フックをそれぞれ前記各係合溝と対応して係合させることを特徴とする、請求項５に記載のマウス装置。
【請求項７】
前記第一カバーにおける前記これらの脚部の材質はセラミックであり、前記第二カバーにおける前記これらの脚部の材質はテフロン（登録商標）であることを特徴とする、請求項１に記載のマウス装置。
【発明の詳細な説明】
【技術分野】
【０００１】
本発明はマウス装置に関する。特に、カバーの交換が可能なマウス装置に関連する。
【背景技術】
【０００２】
科学技術の発展に伴い、コンピュータの普及は日常生活に便利さをもたらす。コンピュータの普及による新たな需要の例として、ビデオ通話、Ｅメール、製図設計、ゲーム・娯楽などの機能が挙げられる。コンピュータ設備の需要の増加に伴い、各メーカーはコンピュータそのものの機能性を強化する新技術を開発しているほか、コンピュータの周辺装置の開発も積極的に行っている。そのうち最も重要なものは、ユーザーインターフェースとしての入力装置である。マウスは、ユーザーが頻繁に使用している周辺装置である。
【０００３】
ユーザーの操作によってコンピュータを制御する際に、従来のマウスでは、マウスにおける押ボタン又はホイールによって指令伝達又はスクロール操作を行うが、ユーザーがシステム画面におけるカーソルをスムーズに移動できるのは、マウスそのものの底部に配置される脚部と平面との接触関係によるものである。詳しくは、マウスは作業用平面（例えば、テーブル或いはマウスパッド）で移動する際に、これらの脚部を通じてテーブルまたはマウスパッドの表面と接触するため、マウスパッド或いはテーブルの材質の違いによって、ユーザーがマウスをスムーズに移動できるか否かに影響をもたらす。
【先行技術文献】
【特許文献】
【０００４】
【特許文献１】台湾実用新案登録公報第Ｍ３０５３９０号
【０００５】
尚、マウスは長時間にわたる操作によってテーブル上を移動する場合、脚部が摩擦により損耗されることが避けられないため、次第にスムーズに操作できなくなり、使用上の不便さも生じてくる。例えば、マウスの移動に対する感度が低くなり、操作性の悪化、更にはマウスを廃棄・交換することにもなり、無駄になる問題が生じる。このため、マウスにおける脚部の置換の便利性も要求されている。
【０００６】
前述した従来のマウスの問題を解消するため、ほかの発明者は脚部の交換可能なマウスに着想してきた。前記マウスはケースと、少なくとも一つの置換部と、複数の脚部とを含み、前記置換部がケースの底部に設けられ、前記複数の脚部がそれぞれ前記置換部の両面に配置され、置換部の転換によって前記両面に設けられた脚部を使用する。前記置換部の一面に配置される脚部が損耗した際に、ユーザーは前記置換部を裏返して使用できるため、従来のマウスにおける脚部が損耗した後、マウスを廃棄・交換する問題を解消でき、マウスの脚部の使用寿命も延長できる。しかし、前述した従来のマウス装置の置換部は両面対称に設計しなければならず、且つ脚部の材質は同様の材料である必要がある。そうでない場合、裏返した置換部を使用する場合、平面における操作の高さが異なるために、変位を検知する誤差が出てくる。
【０００７】
上述した通り、従来のマウスを裏返して交換した後は、同じ材料で作られたマウスパットしか使用できず、需要により違う材料で作られたパットを使用したいユーザーに対しては効果が得られない。マウスにおける脚部をユーザーの需要に応じて、簡単で手軽に異なる材質と置換できれば、従来技術に比較して、便利性がより高く、使用性がより経済的になる。
【発明の概要】
【発明が解決しようとする課題】
【０００８】
このような問題点に鑑み、本発明は、マウス装置を提供し、従来のマウスの脚部が損耗により交換が困難であり、又必要に応じて異なった材質の脚部の交換の不便さなどの問題を解決する。
【課題を解決するための手段】
【０００９】
本発明は、平面で操作するマウス装置に関し、マウス装置は本体と、回路機構と、カバーとを含む。本体には、マウスの既定機能を実行するための回路機構を容置する容置部を有する。本体の底部には少なくとも一つの係合溝を備え、且つカバーの一つの側面にそれぞれ各係合溝に対応する複数のフックを有し、カバーのもう一つの側面に複数の脚部を備え、前記カバーは複数の脚部によって平面と接触する。カバーは脱着可能に本体の底部に装着され、また、カバーをしっかりと本体に装着するよう、各フックがそれぞれ各係合溝に係合されている。
【００１０】
本発明は、もう一形態の平面で操作するマウス装置を提供し、マウス装置は本体と、回路機構と、第一カバー及び第二カバーとを含む。本体には、マウスの既定機能を実行するための回路機構を容置する容置部を有する。本体の底部には少なくとも一つの係合溝及び複数の凹溝を備えている。且つ、両カバーの一つの側面にそれぞれ複数のフックを有し、それぞれの係合溝に対応しており、両カバーのもう一つの側面に複数の脚部を具備し、脚部により両カバーが平面と接触する。また、第一カバーにおける脚部の材質は、第二カバーにおける脚部の材質と異なっている。両カバーについてこれらの一つは選択可能且つ脱着可能に底部に装着され、カバーをしっかりと本体に装着するよう、各フックでそれぞれ各係合溝に係合されている。そのうち、第一カバーにおける脚部は第一カバーのもう一つの側面に突設されており、第一カバーを本体の底部に装着する場合、第一側面に突設されている脚部は凹溝に容置している。
【発明の効果】
【００１１】
本発明の効果は、マウス装置のカバーは本体と脱着可能に組み合わせるように設計され、ユーザーは随時新しい脚部を交換でき、または異なった材質の脚部を置換でき、マウス装置の使用寿命を延長し、使用要求の順応性を高めることにある。
【００１２】
本発明によれば、従来のマウスにおける脚部の交換が困難であり、異なった材質からなる脚部を交換できないという制限を解消できる。更に本体に設けた凹溝を利用して異なった厚さの脚部を有するカバーを本体と取り組む場合、本体から平面までの操作するための高さを一致させることができるため、マウス装置は精確に前記機能を実行でき、誤作動の発生を有効に避けられる。
【図面の簡単な説明】
【００１３】
【図１】本発明に係る第一実施例のマウス装置を示した分解図である。
【図２】本発明に係る第一実施例のマウス装置を示した分解図である。
【図３】本発明に係る第一実施例のマウス装置を示した立体組立図である。
【図４】本発明に係る第一実施例のマウス装置を示した断面図である。
【図５Ａ】本発明に係る第一実施例のマウス装置における本体とカバーを示した断面図である。
【図５Ｂ】本発明に係る第一実施例のマウス装置における本体とカバーを示した断面図である。
【図５Ｃ】本発明に係る第一実施例のマウス装置における本体とカバーを示した断面図である。
【図５Ｄ】本発明に係る第一実施例のマウス装置における本体とカバーを示した断面図である。
【図５Ｅ】本発明に係る第一実施例のマウス装置における本体とカバーを示した断面図である。
【図６】本発明に係る第一実施例のマウス装置の操作状況を示した断面図である。
【図７】本発明に係る第二実施例のマウス装置を示した分解図である。
【図８】本発明に係る第一実施例のマウス装置を示した分解図である。
【図９Ａ】本発明に係る第二実施例のマウス装置における本体と第一カバーを示した分解図である。
【図９Ｂ】本発明に係る第二実施例のマウス装置における本体と第二カバーを示した分解図である。
【発明を実施するための形態】
【００１４】
本発明の特徴、実施例及び効果について、本発明の最良の形態として図面を参照して詳細に説明する。
＜実施例＞
【００１５】
本発明に開示された二実施例におけるマウス装置１００はゲーミングマウスを例として説明するが、本技術分野に熟知した技術者が実際の使用需要に応じて本発明に係るマウス装置１００の外観形態及び機能設計を変更してもよく、本発明に開示された実施例に限られない。
【００１６】
図１及び図２には、本発明に係る第一実施例のマウス装置の分解図を示す。本発明に係る第一実施例のマウス装置１００は平面１６０で操作される。例えば、各種類の材質のテーブル又はマウスパッドで変位操作をし、コンピュータ装置（図示せず）の作業画面においてカーソル作動に対応及び制御し、且つ前記既定機能を実行する。
【００１７】
本実施例におけるマウス装置１００は、本体１１０と、回路機構１２０と、カバー１３０とを備えている。前記本体１１０は上ケース１１１及び下ケース１１２を互いに組み合わせて構成され、前記内部に空間である容置部を形成している。上ケース１１１の上表面には複数の押しボタン１１８及びローラー１１７を設置し、下ケース１１２の底部には複数の係合溝１１３、二つのガイド溝１１４及びスライド溝１１５を設置している。
【００１８】
本体１１０の構造をさらに詳細に説明すると、係合溝１１３はそれぞれ下ケース１１２の底部の前後両端と左右両側とに設置され、二つのガイド溝１１４の位置が対称になるように下ケース１１２の底部の前端に設置され、スライド溝１１５がＵ字型になって下ケース１１２の底部の後端に設置されている。
【００１９】
前述した本実施例における回路機構１２０は、従来のマウス装置の前記既定機能を実行する電子部品と類似し、例えばカーソル変位、プログラムのクリック、実行、メニュー項目のスタート等の機能を実行できる。従って、出願人はこれに関する説明を加えずに、本実施例に係る電子部品のみに対して詳細に説明する。
【００２０】
本実施例における回路機構１２０は回路基板１２１と、発光ユニット１２２と、光センサー１２３とを含む。発光ユニット１２２と光センサー１２３とは回路基板１２１に電気的に取り付けられ、且つ回路基板１２１は本体１１０の下ケース１１２に装着され、上ケース１１１と下ケース１１２とにより形成された容置部に容置されている。本体１１０の下ケース１１２の底部に開口を設け、光センサー１２３及び発光ユニット１２２が下ケース１１２の底部から露出される。また、発光ユニット１２２は光線を平面１６０に放射することに用いられ、光センサー１２３は発光ユニット１２２が平面１６０に放射した反射光を受信することに用いられる。上ケース１１１の上端における押しボタン１１８及びローラー１１７は回路構造１２０と電気的に接続し、信号を伝送する経路となる。尚、本実施例にかかる発光ユニット１２２は発光ダイオード（light emitting diode，LED）及び電球を含んでいるが、この限りではない。
【００２１】
本実施例に係るカバー１３０は脱着可能であり、本体１１０の下ケースの底部に装着される。カバー１３０は相対する第一側面１３１と第二側面１３２とを備え、第一側面１３１に複数のフック１３３と二つの固定部１３４を有する。これらのフック１３１はそれぞれカバー１３０の前後両端と左右両側とに設置され、下ケース１１２底部における各係合溝１１３と対応する。固定部１３４は下ケース１１２の底部におけるガイド溝１１４と相互に対応している。
【００２２】
更に、カバー１３０の第二側面１３２には複数の脚部１３６を有し、その材質はテフロン（登録商標）、セラミックまたはガラスなどでもよい。各脚部１３６は平均的にカバー１３０の第二側面１３２に設置され、また前記結合方式が接着、嵌合またはロックでもよいが、この限りではない。注目すべきは、本発明に開示された脚部１３６が使用した材質は各実施例に開示された材質に限らないことにある。本技術分野に熟知した技術者が、実際の需要によって適当な材質により脚部１３６を作成してもよく、且つ本発明に開示された各実施例における脚部１３６の設置位置も制限されない。
【００２３】
図３から図５は、第一実施例におけるマウス装置を示す図である。カバー１３０を本体１１０の底部に装着する場合、カバー１３０を第一側面１３１が本体１１０の底部に対向して、カバー１３０の外縁を本体１１０底部のスライド溝１１５へ滑り込ませることにより、カバー１３０の第二側面１３２へのズレを防ぐ。カバー１３０の第一側面１３１における固定部１３４を本体１１０の底部におけるガイド溝１１４へ滑り込ませてカバー１３０を脱着する際のガイドとして提供し、これによってカバー１３０がずれないように順調に所定位置に移動させることができる。この際に、各フック１３３はそれぞれ本体１１０の底部における各係合溝１１３と係着し、カバー１３０をしっかりと本体１１０の底部に装着して、脱落しないように係止結合関係が形成されている。
【００２４】
図６において、第一実施例のマウス装置を操作する際の光の経路の断面を示す。本実施例におけるカバー１３０には、第一側面１３１と第二側面１３２とを貫通する開口部１３５を開設し、下ケース１１２の底部に配置される開口と対応し、回路機構１２０の発光ユニット１２２が発射した光線をカバー１３０の開口部１３５を通して平面１６０に放射し、回路基板１２１における光センサー１２３が前記開口部１３５を通じて反射光を受信する。また、カバー１３０は脚部１３６で平面１６０に接触し、本体１１０に平面で変位作動を実行し、マウス装置１００の相対移動によって光センサー１２３に光影イメージの動態変化信号の受信を続け、コンピュータ装置の作業画面におけるカーソルを対応して移動し、本体１１０の上方における押しボタン１１８及びローラー１１７を、プログラムのクリック、実行、メニュー項目起動、または画面スクロール等の機能を実行させる。
【００２５】
本実施例において、マウス装置１００はフックと係合溝との構造によって、カバーを手軽に、且つ迅速に交換することができ、マウスの脚部の使用寿命を延長する効果を達成する。
【００２６】
図７から図９bは、本発明に係る第二実施例を示す立体図及び断面図である。本実施例に開示されたマウス装置１００の全体構造は、前述した第一実施例におけるマウス装置の構造と類似しているため、以下で本発明に開示した第二実施例の差異について詳細に説明する。
【００２７】
本発明の第二実施例におけるマウス装置１００は、本体１１０と、回路機構１２０と、第一カバー１４０と、第二カバー１５０とを備えている。前記本体１１０にはマウスの既定機能を実行するための回路機構１２０を容置する容置部を有する。本体１１０の底部には、少なくとも一つの係合溝１１３及び複数の凹溝１１６を備えている。第一カバー１４０と第二カバー１５０とは本体１１０に脱着可能で、選択的に第一カバー１４０または第二カバー１５０を本体１１０の下ケース１１２の底部に装着できる。本実施例における両カバー１４０、１５０の構造は類似しており、それぞれ相対する第一側面１４１、１５１と第二側面１４２、１５２とを有し、且つ両カバー１４０、１５０の第一側面１４１、１５１は、それぞれ複数のフック１４３、１５３と二つの固定部１４４、１４５とを有する。
【００２８】
詳細に説明すると、本実施例における第一カバー１４０と第二カバー１５０との複数のフック１４３、１５３は、それぞれ第一カバー１４０と第二カバー１５０との前後両端及び左右両側に設置され、且つそれぞれ下ケース１１２の底部における各係合溝１１３の位置と対応している。第一カバー１４０と第二カバー１５０との二つの固定部１４４、１５４はそれぞれ第一カバー１４０と第二カバー１５０との第一側面１４１、１５１に設置され、それぞれ下ケース１１２の底部におけるガイド溝１１４と対応している。
【００２９】
更に、第一カバー１４０と第二カバー１５０との第二側面１４２、１５２には、それぞれ複数の脚部１４６、１５６を有する。第一カバー１４０における脚部１４６の材質はセラミックであり、第二カバー１５０における脚部１５６はテフロン（登録商標）である。各脚部１４６、１５６は平均的に第一カバー１４０と第二カバー１５０との第二側面１４２、１５２に設置され、結合方式は接着、嵌合またはロックでもよい。注目すべきは、本発明に開示された脚部１４６、１５６が使用した材質は各実施例に開示された材質に限らないことにある。本技術分野に熟知した技術者が、実際の需要によって適当な材質により脚部１４６、１５６を作成してもよく、また本発明に開示された各実施例における脚部１４６、１５６の設置位置も制限されない。
【００３０】
本実施例における両カバー１４０と１５０との相違点は、第一カバー１４０の脚部１４６の一部は第一カバー１４０の第一側面１４１に凸設され、第二カバー１５０の脚部が第二側面１５２のみに設置され、第一側面１５１に凸設されていないことである。
【００３１】
ユーザーは実際の使用に応じて前記カバー１４０、１５０のうちの一つを選択的に本体１１０の底部に装着した場合、前記カバー１４０、１５０はそれぞれ第一側面１４１、１５１を本体１１０の底部に対向し、カバー１４０、１５０がそれぞれ第二側面１４２、１５２へ外翻するのを防ぐために、カバー１４０、１５０の外縁で本体１１０の底部におけるスライド溝１１５へ滑り込ませ、両カバー１４０、１５０のフック１４３、１５３がそれぞれ本体１１０の底部における係合溝１１３に係着され、両カバー１４０、１５０における第一側面１４１、１５１の固定部１４４、１５４がそれぞれ本体１１０の底部におけるガイド溝１１４に容置され、カバー１３０を脱着する際のガイドとして提供し、これによってカバー１４０、１５０がずれないように順調に所定位置に移動させることができる。この際に、各フック１４３、１５３はそれぞれ本体１１０の底部における各係合溝１１３と係着し、カバー１３０をしっかりと本体１１０の底部に装着し、脱落が困難なように係止結合関係が形成されている（第一実施例の図３から図５eまでを参照）。
【００３２】
図９a及び図９bを参照する。前記図９aは、本発明に係る第二実施例におけるマウス装置の本体と第一カバーとを示す断面図である。図９bは、本発明に係る第二実施例におけるマウス装置の本体と第二カバーとを示す断面図である。第一カバー１４０における脚部１４６の材質がセラミックであるため、セラミックの成形技術の制限で前記脚部１４６の厚さが厚くなり、脚部１４６の一部が第一カバー１４０の第一側面１４１まで凸設されている。第一カバー１４０を本体１１０の底部に装着した場合、第一側面１４１に凸設された脚部１４６を本体１１０の凹溝１１６に容置させ、第一側面１４１を本体１１０の底部に密着させることにより、第一カバー１４０が装着された本体１１０と平面１６０との距離を高さＤに維持して操作を行う。第二カバー１５０を本体１１０の底部に装着した場合、第二カバー１５０の第一側面１５１が本体１１０の底部に密着され、第二カバー１５０における脚部１５６が第一側面１５１まで凸設されていないため、第二カバー１５０における脚部１５６はその組立に影響しない。従って、第二カバー１５０が装着された本体１１０と平面１６０との距離である高さＤは、実質的に第一カバー１４０が装着された本体１１０と平面１６０との距離である高さＤと同様である。
【００３３】
また、本実施例における両カバー１４０、１５０には、それぞれ第一側面１３１と第二側面１３２とを貫通する開口部１４５、１５５を開設し、それぞれ下ケース１１２の底部にある開口と対応し、回路機構１２０の発光ユニット１２２から放射した光線を両カバー１４０、１５０の開口部１４５、１５５を通して平面１６０に放射し、回路基板１２１における光センサー１２３がそれぞれ前記開口部１４５、１５５を通じて反射光を受信する。
【００３４】
さらに、前記第一カバー１４０における脚部１４６（材質がセラミックである）と第二カバー１５０における脚部１５６（材質がテフロン（登録商標）である）とは、それぞれ平面１６０に接触して位置移動を行う。しかしながら、前記両脚部１４６、１５６の厚さが同じでないため、本体１１０の底部における凹溝１１６の構造により調整をして組み立てるので、本体１１０にどちらのカバー１４０、１５０を装着しても、平面１６０との距離を高さＤに維持できる。これにより、本体１１０と平面１６０との異なる高さにより、回路機構１２０の光センサー１２３が信号を検知する判定基準が一致していない結果が生じず、異なる脚部を使用してもマウス装置の操作に影響を与えず、ユーザーに最も精確に機能を実行する効果を提供できる同時に、異なる環境での使用にも応じられる。
【００３５】
本実施例において、交換可能なカバーの脚部材質の機能を増加させ、且つ凹溝の構造により、異なる材質の脚部カバーを本体に組み立てた後、いずれも平面との高さが一致する機能を達成する。
【産業上の利用可能性】
【００３６】
上述した本発明にかかる各実施例によれば、本発明にかかるカバーを交換可能とする手段は従来のマウス装置における脚部の交換の不便さ、また異なる材質の脚部を交換できないなどの問題を解決できることを明瞭に説明した。
【００３７】
現在の技術手段と比較すると、本発明にかかるマウス装置はカバーを交換可能とするだけでなく、マウス装置の使用寿命もさらに延長させ、異なる使用環境に応じて異なる材質の脚部さえも交換でき、最適なマウスの操作感を提供するとともに、良好で精確な操作性を兼ね備える。
【００３８】
本発明に係る実施例を上述のように開示したが、本発明は前記実施例に制限されない。係る技術に熟達する者はその要旨を逸脱しない範囲において、記述された形状、構成、特徴及び数量などの修正が可能であることは勿論であって、本発明の技術的範囲は、本明細書における特許請求の範囲により定義される。
【符号の説明】
【００３９】
１００  …  マウス装置
１１０  …  本体
１１１  …  上ケース
１１２  …  下ケース
１１３  …  係合溝
１１４  …  ガイド溝
１１５  …  スライド溝
１１６  …  凹溝
１１７  …  ローラー
１１８  …  押しボタン
１２０  …  回路機構
１２１  …  回路基板
１２２  …  発光ユニット
１２３  …  光センサー
１３０  …  カバー
１３１  …  第一側面
１３２  …  第二側面
１３３  …  フック
１３４  …  固定部
１３５  …  開口部
１３６  …  脚部
１４０  …  第一カバー
１４１  …  第一側面
１４２  …  第二側面
１４３  …  フック
１４４  …  固定部
１４５  …  開口部
１４６  …  脚部
１５０  …  第二カバー
１５１  …  第一側面
１５２  …  第二側面
１５３  …  フック
１５４  …  固定部
１５５  …  開口部
１５６  …  脚部
１６０  …  平面
Ｄ  …  高さ
【図１】
0005506892.tif 000002
【図２】
0005506892.tif 000003
【図３】
0005506892.tif 000004
【図４】
0005506892.tif 000005
【図５Ａ】
0005506892.tif 000006
【図５Ｂ】
0005506892.tif 000007
【図５Ｃ】
0005506892.tif 000008
【図５Ｄ】
0005506892.tif 000009
【図５Ｅ】
0005506892.tif 000010
【図６】
0005506892.tif 000011
【図７】
0005506892.tif 000012
【図８】
0005506892.tif 000013
【図９Ａ】
0005506892.tif 000014
【図９Ｂ】
0005506892.tif 000015